(57)【特許請求の範囲】
【請求項１】
下から上に、少なくとも、引出前板にペット出入口を有しペット居住場所を形成するペット居住引出、内部に保冷剤が載置された保冷剤収納引出、及び、スライド式ペット取扱テーブルを、この順番に具備してなるペット小屋であって、
該ペット居住引出は、引出向板がないか又はペットの行き来が可能な程度の引出向板があるために、該ペット居住引出を引き出すことによって、該ペット居住場所との行き来ができ、かつ三方を引出前板と引出側板で囲われたペット遊び場所を構成できるようになっており、
該保冷剤収納引出は、内部に載置された保冷剤からの冷気がペット居住場所に下降するような通気性のある構造をしており、かつ水を吸収しない材質でできた引出底板を有するものであり、
該保冷剤は、その表面が水吸収性の結露防止被覆材で覆われているものであり、
該スライド式ペット取扱テーブルは、ペットを取り扱うときには手前に引き出して使用できるようになっており、保冷剤収納引出の内部に載置された保冷剤によって冷やされた状態でその上でペットの取り扱いができるようになっているものであることを特徴とするペット小屋。
【請求項２】
更に、上記スライド式ペット取扱テーブルの上にペット用品収納棚ケースを具備してなる請求項１に記載のペット小屋。
【請求項３】
上記保冷剤収納引出の通気性を有する引出底板が、板に穴を開けたもの、板に切れ目を開けたものを拡張したもの、線を編んだもの、又は、線を織ったものである請求項１又は請求項２に記載のペット小屋。
【請求項４】
上記保冷剤収納引出の通気性を有する引出底板が金属でできているものである請求項１ないし請求項３の何れかの請求項に記載のペット小屋。
【請求項５】
上記保冷剤の表面を覆う水吸収性の結露防止被覆材がセルロースの再生繊維の不織布である請求項１ないし請求項４の何れかの請求項に記載のペット小屋。
【発明の詳細な説明】
【技術分野】
【０００１】
本発明は、結露防止被覆材で覆われた保冷剤を内部に有する保冷剤収納引出を具備するペット小屋に関し、更に詳しくは、ペット居住場所を形成するペット居住引出、保冷剤収納引出、及び、スライド式ペット取扱テーブルを、下から上に、この順番に具備してなるペット小屋に関するものである。
【背景技術】
【０００２】
ペットが快適にすごせる空間を提供する技術は多く知られている。
例えば、特許文献１には、通気性を良くした犬小屋が開示されているが、風だけで快適にするもので、積極的に犬小屋内の温度を調節するものではなかった。
積極的に内部の温度を調節するものとしては、特許文献２には、蒸気孔を有する屋根に冷却水を貯め、その蒸発熱で冷やせるペット小屋が開示されているが、特に冷却材や冷却装置を有するものではないために、その効果は低いものであった。
【０００３】
冷却装置を有し積極的に冷やすものとしては、特許文献３に、冷房用水をポンプで循環させて床面を冷房する冷房機構を備えたペットハウスが開示されており、特許文献４には、暖房と冷房を選択できる熱電モジュールとその動作を制御する制御システムを具備したペット居住スペースが開示されている。
また、特許文献５には、天井裏に蒸気圧縮冷凍サイクルを利用した冷房装置を具備したペットハウスが開示されており、特許文献６には、ペルチェ素子を利用したペット用冷暖房装置が開示されている。
【０００４】
しかしながら、循環用ポンプ、熱電モジュール、蒸気圧縮冷凍サイクル、ペルチェ素子等は、簡便性がなく、スペースも広く必要であり、ペット小屋としては必要以上に高価になってしまうものであった。
【０００５】
これを解決するものとして、特許文献７には、屋根の略全面に開閉可能な収容室を設け、その中に蓄冷材を収容したペットハウスが開示されている。
このペットハウスは、蓄冷材を用いているために、簡便性があり、必要以上に高価になるものではなかったが、屋根に蓄冷材が収容されているために、該蓄冷材に結露した水滴が下のペットの上に滴下し、ペットが安心して住める空間が確保できなかった。
【０００６】
また、収容室の底面に吸水シートを敷くことによって、結露した水が下に滴下することをある程度は防ぐことはできるが、滴下を完全に防ぐことはできず、また、該吸水シートを頻繁に取り換える必要もあり面倒であった。
更に、蓄冷材の収容室は屋根に設けられ、上に開閉可能な構造になっているため、蓄冷材の収容室の上部も冷えているものの、それを有効に活用できていなかった。
【０００７】
また、ペット小屋は、殆どがそれだけで独立した構造を有しており、ペットサークル、ドッグラン等のペットの遊び場所や、トリミング、洗浄、洋服着用等のその上でペットを取り扱えるテーブル等が付随したものはなく、多くの機能が付随していて使い易いペット小屋に関する技術は殆ど存在しなかった。
【０００８】
近年のエネルギー節約の要請に鑑み、ペットを省エネルギーで簡便に涼しく過ごさせることの重要性は増してきているが、それには更なる改善の余地があった。
また、近年のペットブームによって、種々の形態のペット小屋が望まれているが、多くの機能が付随したペット小屋に関しては殆ど存在しなかった。
【先行技術文献】
【特許文献】
【０００９】
【特許文献１】特開２００１−２０４２８９号公報
【特許文献２】実開昭６２−０８３４５７号公報
【特許文献３】実登第３１２７８１０号公報
【特許文献４】特開２００９−２４７２１６号公報
【特許文献５】国際公開ＷＯ２００９／００８０６７
【特許文献６】特開２００９−２９１１６５号公報
【特許文献７】特開２００５−１１８０１２号公報
【発明の概要】
【発明が解決しようとする課題】
【００１０】
本発明は上記背景技術に鑑みてなされたものであり、その課題は、簡便であり、スペースも広く必要とせず、安価であり、快適なペット居住場所を実現し、ペットの取り扱いが容易でペットにとっても快適な設備が具備された多機能なペット小屋を提供することにある。
【課題を解決するための手段】
【００１１】
本発明者は、上記の課題を解決すべく鋭意検討を重ねた結果、特定のペット居住引出、特定の保冷剤が内部に載置された特定の保冷剤収納引出、及び、スライド式ペット取扱テーブルを具備することによって、上記課題が達成されることを見出して、本発明を完成するに至った。
【００１２】
すなわち、本発明は、下から上に、少なくとも、引出前板にペット出入口を有しペット居住場所を形成するペット居住引出、内部に保冷剤が載置された保冷剤収納引出、及び、スライド式ペット取扱テーブルを、この順番に具備してなるペット小屋であって、
該ペット居住引出は、引出向板がないか又はペットの行き来が可能な程度の引出向板があるために、該ペット居住引出を引き出すことによって、該ペット居住場所との行き来ができ、かつ三方を引出前板と引出側板で囲われたペット遊び場所を構成できるようになっており、
該保冷剤収納引出は、内部に載置された保冷剤からの冷気がペット居住場所に下降するような通気性のある構造をしており、かつ水を吸収しない材質でできた引出底板を有するものであり、
該保冷剤は、その表面が水吸収性の結露防止被覆材で覆われているものであり、
該スライド式ペット取扱テーブルは、ペットを取り扱うときには手前に引き出して使用できるようになっており、保冷剤収納引出の内部に載置された保冷剤によって冷やされた状態でその上でペットの取り扱いができるようになっているものである
ことを特徴とするペット小屋を提供するものである。
【００１３】
また、本発明は、更に、上記スライド式ペット取扱テーブルの上にペット用品収納棚ケースを具備してなる上記のペット小屋を提供するものである。
【発明の効果】
【００１４】
本発明によれば、前記問題点を解消し、上記課題を解決し、冷却装置、循環装置等の高価で大きな装置を必要としないため設置が簡便であり、保冷剤を使用するため初期費用がかからず無駄なスペースも必要とせず、ランニングコストも安価であり、ペットにとって極めて快適なペット居住場所を提供できると共に、省エネルギー化の要望にも対応することができる。
【００１５】
特に、保冷剤収納引出に載置された保冷剤に結露した水滴が、その下のペット居住場所に居るペットの上に滴下することを完全に防ぐことができるため、ペットが安心して住める空間が確保でき、また、保冷剤の下には吸水シート等を敷く必要がないため、該吸水シート等を頻繁に取り換えるという面倒な行為を必要としない。
【００１６】
また、ペット居住引出を引き出すことによって、該ペット居住場所との行き来ができ、かつ三方を引出前板と引出側板で囲われた、ペットサークル、ドッグラン等とも呼べるペット遊び場所ができるので、ペットにとっても飼い主にとっても楽しいペット小屋が提供できる。
【００１７】
また、ペット居住場所の上で、トリミング、洗浄、洋服着脱、毛玉取り、蚤取り、ブラッシング等のペットの種々の取り扱いが可能なスライド式ペット取扱テーブルを具備するため、ペットに関することを立体的に省スペースで取り扱えて便利であると共に、保冷剤収納引出に載置された保冷剤によってスライド式ペット取扱テーブルが冷えるため、ペットにとっても極めて快適である。
【００１８】
更に、上記スライド式ペット取扱テーブルの上にペット用品収納棚を具備したペット小屋であれば、スライド式ペット取扱テーブルの上でペットを取り扱い中に、トリミング用具、洗浄用具、ペットの洋服、毛玉取り器、蚤取り器、ブラシ、ペットシーツ等のペット用具を容易に取り出すことができるので、ペットの取り扱いがスムースに行える。
【図面の簡単な説明】
【００１９】
【図１】本発明のペット小屋の一例を示す概略斜視図である。
【図２】ペット居住引出が引き出されてペット遊び場所が構成された状態を示す概略斜視図である。
【図３】ペット居住引出が引き出されたときの、ペット居住場所とペット遊び場所の内部の状態を示す概略斜視図である。
【図４】保冷剤収納引出が引き出され、保冷剤収納引出の引出底板の状態を示す概略斜視図である。
【図５】内部に保冷剤が載置された保冷剤収納引出が引き出された状態を示す概略断面図である。
【図６】本発明のペット小屋であって、ペット用品収納棚ケースを具備しているものの一例を示す概略斜視図である。
【図７】ペット用品収納棚の一例と、手前に引き出されたスライド式ペット取扱テーブルの状態を示す概略斜視図である。
【発明を実施するための形態】
【００２０】
以下、本発明について説明するが、本発明は、以下の具体的形態に限定されるものではなく、技術的思想の範囲内で任意に変形することができる。
【００２１】
図１〜図７に、本発明のペット小屋１の好ましい基本構成の例を示す。
本発明のペット小屋は、図１〜４に示すように、下から上に、少なくとも、ペット居住引出１０、保冷剤収納引出２０、及び、スライド式ペット取扱テーブル３０を、この順番に具備する。
また、図６〜図７に示すように、スライド式ペット取扱テーブル３０の上に、更に、ペット用品収納棚ケース４０を具備していてもよい。
【００２２】
本発明のペット小屋の全ての引出を収納した状態の一例を図１に示す。本発明のペット小屋は、下から上に、少なくとも、引出前板にペット出入口１２を有しペット居住場所を形成するペット居住引出１０、内部に保冷剤２１が載置された保冷剤収納引出２０、及び、スライド式ペット取扱テーブル３０を、この順番に具備してなる。
【００２３】
ペット居住引出１０は、収納した状態で、その内部がペット居住場所として、ペットが常時居住できるようになっている。
更に、ペット居住引出１０は、図２及び図３に示すように、ペット居住引出１０を引き出すことによって、ペット居住場所の前にペット遊び場所１４を提供できるようになっている。
【００２４】
ペット居住引出１０をいっぱいに引き出すことによって、「引出を収納した状態で形成される上記したペット居住場所」とほぼ同体積のペット遊び場所１４を、ペット居住場所の前面に提供できる。すなわち、ペット居住引出１０を引き出してペット遊び場所１４として使用する場合には、ペット居住場所の約２倍のスペースを確保することができる。
ペット居住場所の上部は天板があり、ペット居住引出１０が引き出された部分で形成されるペット遊び場所１４は上部が吹き抜けているので、ペットは好きな方に移動して楽しむことができる。
ペット遊び場所１４は上部が吹き抜けているので、「ドッグラン」とも呼べるようなスペースを与えることができ、開放的な空間を提供できる。
【００２５】
ペット居住引出１０は、「引出向板がないか」、又は、「ペットの行き来が可能な程度の引出向板があるために」、ペット居住引出１０を引き出すことによって、ペット遊び場所１４とペット居住場所との間は、ペットの行き来ができるようになっている。
引出向板は、存在しない方が、ペットが自由にペット居住場所とペット遊び場所１４との間を移動できるために好ましいが、構造上の強度確保の点から、ペットの行き来が可能なように、引出向板に、穴を設けたり、一部取り除いたりした上で、通常の引出のように引出向板を設けてもよい。特に、引出向板にペットが通り抜けられる程度の穴を設けることも、ペットや飼い主にとって面白いために好ましい。
【００２６】
ペット居住引出１０は、三方を引出前板１１と引出側板１３で囲われたペット遊び場所１４を構成できるようになっている。
ペット遊び場所１４は、前面を引出前板１１で、２つの側面を２枚の引出側板１３で囲まれていて、ペットは、天板があるペット居住場所と、天板がなく吹き抜けになっているペット遊び場所１４とを行き来できる。
【００２７】
「引出前板」とは、引出を構成する板のうち、引出の前面に位置し、引出を収納した状態において、外部から視認することができる板をいう。また、「引出側板」とは、引出を構成する板のうち、引出の両側面に存在して、「引出前板」と「引出向板」の両方に接している板をいう。
【００２８】
ペット居住引出１０の底部については特に限定はなく、引出底板はあってもなくてもよいが、あった方が、強度確保、ペット居住場所で安住しているペットを引き出して取り出し易くできる等の点で好ましい。ただ、引出底板はない方が、ペットがペット居住場所とペット遊び場所１４との間を段差なしで行き来できる点では好ましい。
【００２９】
ペット居住引出１０は、引出底板がある場合、中にペットを入れたまま引き出す操作を要するため、スムースに引き出せるように、レールを備えていることが好ましいが、重量の軽いペットを入れる場合等、特に必要ないケースもあるため、レールを備えていなくてもよい。
【００３０】
ペット居住引出１０は、引出前板１１にペット出入口１２を有する。引出前板１１におけるペット出入口１２の位置、大きさ等には特に限定はなく、ペットの種類に応じて適切な位置や大きさを選択することができる。
【００３１】
ペット出入口１２の開閉方式についても限定はなく、引き戸、開き戸の何れであってもよい。
また、ペット出入口１２の材質については、特に限定はないが、ペット居住引出１０を収納した際に、外部からペットの様子が視認できるよう、ガラス、プラスチック等、透明な材質であることが好ましく、無色透明であることが特に好ましい。また、ペット出入口１２は網でできていてもよい。
【００３２】
保冷剤収納引出２０は、内部に載置された保冷剤２１からの冷気がペット居住場所に下降するような通気性のある構造をしており、かつ水を吸収しない材質でできた引出底板２２を有する。
【００３３】
保冷剤収納引出２０に、保冷剤２１を載置した状態にすることにより、冷気が下側のペット居住場所に伝わり、ペットが快適にすごすことができる。
【００３４】
保冷剤収納引出２０は、十分な冷気をペット居住場所に伝えることができる程度の通気性を有し、かつ水を吸収しない材質でできた引出底板２２を備えたものであれば、特に限定はない。
保冷剤収納引出２０の通気性を有する引出底板２２の形状は、例えば、板に穴を開けたもの、板に切れ目を開けたものを拡張したもの、線を編んだもの、又は、線を織ったものが挙げられる。一例として、多数の穴を開けたものを図４に示す。
「板に切れ目を開けたものを拡張したもの」とは、板に切れ目を一方向に好ましくは千鳥に多数開けて、切れ目に対して直行方向に引っ張って網目を作ったもので、ラス（ｌａｔｈ）、エキスパンドメタル等が挙げられる。また、線を織ったものとしては、金網等が挙げられる。
【００３５】
保冷剤収納引出２０の通気性を有する引出底板２２の材質については、水を吸収し難い材質であれば、特に限定はなく、金属、プラスチック、木等が好ましく、金属、プラスチック等が特に好ましい。
中でも、保冷剤収納引出２０の引出底板２２は金属でできているものであることが、熱伝導率が大きく、輻射熱（放射熱）を吸収し易く、下に位置するペット居住場所を好適に冷却できる点から好ましい。
【００３６】
具体的には、ステンレス；酸化アルミニウムで被覆されていてもよいアルミニウム；亜鉛、スズ又は琺瑯（ほうろう）で被覆されていてもよい鉄；チタン又はチタン合金；等が挙げられる。
材質が金属であれば、穴からの冷気の対流と、輻射（放射）の両方で、ペット居住場所を好適に冷却できるため好ましい。
【００３７】
保冷剤収納引出２０に載置する保冷剤２１の表面は水吸収性の結露防止被覆材で覆われている。これにより、水滴の発生・滴下を防止することができるため、ペットが下のペット居住場所で安心して住むことができ、飼い主等が、吸水シートの交換、水の拭き取り等の面倒なメンテナンスをする必要はない。
【００３８】
保冷剤２１は、蓄冷剤とも言われ、少なくとも、水と、ポリ（メタ）アクリル酸ナトリウム等の高吸水性樹脂とを、水不透過性の高分子フィルムでできた袋に封入してできている。水不透過性の高分子フィルムの材質は特に限定はないが、ポリアミド、ポリエチレン、ポリプロピレン等が好ましい。水と高吸水性樹脂以外に、防腐剤、形状安定剤、着色剤等が含まれていてもよい。保冷剤２１は、温まっても再度冷凍させることによって何回でも繰り返し使うことができ、利便性や経済性に優れている。
【００３９】
保冷剤２１については、水滴の発生・滴下を防止できるものが好ましく、具体的形態としては、保冷剤２１の表面が結露防止被覆材で覆われているものが特に好ましい。
すなわち、上記水不透過性の高分子フィルムの外面が結露防止被覆材で覆われているものが特に好ましい。
該水吸収性の結露防止被覆材は、不織布でできていることが、好適に水滴の発生・滴下を防止できるため更に好ましい。最も好ましい結露防止被覆材は、上記の点から、セルロースの再生繊維の不織布である。すなわち、上記保冷剤の表面を覆う水吸収性の結露防止被覆材がセルロースの再生繊維の不織布であることが好ましい。
「セルロースの再生繊維」は「レーヨン（ｒａｙｏｎ）」と言われるものである。
【００４０】
その表面が結露防止被覆材で覆われている保冷剤２１としては、種々の医療用又は食品保冷用として市販されているものが好適に使用できる。例えば、血液輸送時等に結露が防止された保冷剤として使用するものが好適に使用できる。
本発明は、結露防止被覆材で覆われている保冷剤が医療用等に市販されており、かかる保冷剤を家庭で使用するためにでも容易に購入できるので、ペットが上からの水滴に悩まされることを簡便になくすことができることを見出してなされたものである。
かかる保冷剤としては、具体的には、例えば、株式会社アイスジャパン社製の「チルメイツ」（登録商標）等が挙げられる。
【００４１】
保冷剤収納引出２０に保冷剤２１を載置した状態の一例を、図５に示すが、載置する保冷剤の大きさ・位置・数に特に限定はなく、気温・ペットの種類等に応じて、適切な大きさ・位置・数等を選択することができる。
【００４２】
「スライド式ペット取扱テーブル」とは、上にペットを乗せて取り扱うためのテーブルをいう。
ペットを「取り扱う」とは、トリミング、洗浄、洋服着脱、毛玉取り、蚤取り、ブラッシング等、ペットに対して何らかの行為をすることをいう。
【００４３】
スライド式ペット取扱テーブル３０は、ペットを取り扱うときには手前に引き出して使用できるようになっており、保冷剤収納引出２０の内部に載置された保冷剤２１によって冷やされた状態でその上でペットの取り扱いができるようになっている。
【００４４】
スライド式ペット取扱テーブル３０を引き出すことにより、別の台等を用意することなく、スライド式ペット取扱テーブル３０の上で、トリミング、洗浄、洋服着脱、毛玉取り、蚤取り、ブラッシング等のペットの種々の取り扱いをすることができ、ペット小屋上部のスペースの有効活用ができる。
【００４５】
トリミング等のペットの取り扱いをしている際に、保冷剤収納引出２０に保冷剤２１が載置されていれば、保冷剤収納引出２０をも引き出すことにより、上側のスライド式ペット取扱テーブル３０も下から冷やされ、ペットは快適な状態で取り扱いを受けることができる。すなわち、保冷剤２１から発生する冷気によって、下部のペット居住場所１０だけでなく、上部のスライド式ペット取扱テーブル３０も冷やすことができる。
【００４６】
本発明のペット小屋は、図６及び図７に示すように、スライド式ペット取扱テーブル３０の上に、更に、ペット用品収納棚ケース４０を備えていてもよい。
【００４７】
ペット用品収納棚ケース４０の内部の構造は、図７に示したものに限定されるわけではなく、例えば、区切り板の位置に特に限定はない。
また、ペット用品収納棚ケース４０の前面には戸が付いていてもよい。戸は、引き戸でもよく、図６及び図７に示したような開き戸でもよい。
【００４８】
ペット用品収納棚ケース４０には、例えば、トリミング用具、洗浄用具、ペットの洋服、ペットの首輪、毛玉取り器、蚤取り器、ブラシ、蚤駆除薬、掃除機、ハンガー、餌（ペットフード）、ペットシーツ等のペット用具を収納することができる。また、ペット用品収納棚ケース４０には、鏡、コンセント、フック等の付帯設備が設置されていることも好ましい。
【００４９】
ペット用品収納棚ケース４０を備えることにより、ペットを取り扱い中に、ペット用具等を容易に取り出すことができるので、ペットの取り扱いをスムースに行うことができる。すなわち、本発明のペット小屋は、ペット用品収納棚ケース４０を設けることによって、スライド式ペット取扱テーブルの上でのペットの取り扱いが容易になる。
【００５０】
本発明のペット小屋におけるペットとしては特に限定はないが、犬、猫、うさぎ、フェレット、ハムスター、モルモット、ハツカネズミ、リス、プレーリードッグ等が挙げられる。
【産業上の利用可能性】
【００５１】
本発明のペット小屋は、ペットが快適に居住することができ、多くの機能を付随させることができるため、飼い主も快適にペットを取り扱うことができる。また、高価な設備の設置や、メンテナンスの手間もかからないため、様々なペットの居住場所・取扱場所として広く好適に利用されるものである。
【符号の説明】
【００５２】
１  ペット小屋
１０  ペット居住引出
１１  引出前板
１２  ペット出入口
１３  引出側板
１４  ペット遊び場所
２０  保冷剤収納引出
２１  保冷剤
２２  引出底板
３０  スライド式ペット取扱テーブル
４０  ペット用品収納棚ケース
【図１】
0005443518.tif 000002
【図２】
0005443518.tif 000003
【図３】
0005443518.tif 000004
【図４】
0005443518.tif 000005
【図５】
0005443518.tif 000006
【図６】
0005443518.tif 000007
【図７】
0005443518.tif 000008